(57)【要約】【課題】顧客の左右方向への視野が広がる商品陳列台セット及びこれに使用する三角商品陳列台を提供すること。【解決手段】水平又は後方登り傾斜の陳列面を有し、該陳列面の平面視における頂角が鋭角である三角商品陳列台及びこれを有する商品陳列台セット。【選択図】図１
2019130213.tif 000002
【特許請求の範囲】
【請求項１】
水平又は後方登り傾斜の陳列面を有し、該陳列面の平面視における頂角が鋭角であることを特徴とする三角商品陳列台。
【請求項２】
該頂角は、４５±１５度であることを特徴とする請求項１記載の三角商品陳列台。
【請求項３】
該後方登り傾斜の陳列面は、階段形状であることを特徴とする請求項１または２記載の三角商品陳列台。
【請求項４】
請求項１〜３のいずれか１項に記載の三角商品陳列台を有することを特徴とする商品陳列台セット。
【請求項５】
左右方向の陳列面長さが同じである陳列面を有する四角商品陳列台を更に有し、該四角商品陳列台と該三角陳列台を横並びで設置し、平面視における左右方向の前方陳列ラインを屈曲させることを特徴とする請求項４記載の商品陳列台セット。
【請求項６】
該四角商品陳列台の両側に、該三角陳列台をそれぞれ設置し、平面視における陳列面を前方に凸状にしたことを特徴とする請求項５記載の商品陳列台セット。 
【発明の詳細な説明】
【技術分野】
【０００１】
本発明は、顧客の左右方向への視野が広がる商品陳列台セット及びこれに使用する三角商品陳列台に関するものである。
【背景技術】
【０００２】
スーパー、百貨店、量販店などにおいて、例えば、青果用の陳列を目的として、後方登り傾斜の多段陳列面を有する商品陳列台が多く使用されている。特開２００７-２４４５８２号公報には、基板１１上、前後方向に所定のピッチｐで複数形成され、且つ所定の高さｈで左右方向に延出する壁状の突起部１と、ピッチｐよりやや小さく、隣接する２つの突起部間に差し渡される奥行幅ｗの天板２１を備える補助板２と、を有し、隣接する２つの突起間に天板１を差し渡して天板面を水平状の陳列面とするか、または前後方向における一方の側端を一方の突起部の根元に当接させ他方の側端を他方の突起部の上方に当接させて該天板面を傾斜状の陳列面とする商品陳列台１０が開示されている。この商品陳列台によれば、基板を移動することなく補助板の移動だけで、２つ又は３つの異なった陳列面を形成できる。
【０００３】
また、特開２００１-８８０１号公報には、商品載置体１２の前後方向のほぼ中間に位置する両側箇所を支持機構１３でワゴン本体１１の後部に揺動可能に支持することにより、商品載置体１２を第１の位置または第２の位置に変位可能にし、かつ係止機構１４により商品載置体１２を第１の位置または第２の位置に保持する商品陳列台が開示されている。これにより、商品載置体１２が第１の位置である水平姿勢、及び第２の位置である傾斜姿勢に変位されても、商品載置体１２の後端がワゴン本体１１の後方へ突出するのをなくし、商品陳列用ワゴン１０自体の奥行き寸法の変化をなくする。
【０００４】
また、意匠登録番号１２８９７９４号公報には、四角商品陳列台の両側に設置する三角商品陳列台の組み合わせ体が開示されている。この組み合せ商品陳列台によれば、平面視、角部がアール形状であるため、メインの四角商品陳列台の両側の陳列において、陳列の演出を高めることができる。
【先行技術文献】
【特許文献】
【０００５】
【特許文献１】特開２００７-２４４５８２号公報
【特許文献２】特開２００１-８８０１号公報
【非特許文献１】意匠登録番号１２８９７９４号公報
【発明の開示】
【発明が解決しようとする課題】
【０００６】
しかしながら、特開２００７-２４４５８２号公報や特開２００１-８８０１号公報のような四角商品陳列台は、図１５に示すように、正面に設置される四角商品陳列台１０１、後方に設置される四角商品陳列台１０２、あるいは両側に設置される四角商品陳列台１０３、１０４として使用される。図１５の符号１０５は各商品陳列台を区画するパーテーションである。このような従来の商品陳列台セット１００は、正面の顧客Ｘから見て、メインの四角商品陳列台１０１の陳列商品は見えても、後方の四角商品陳列台１０２や両側の四角商品陳列台１０３、１０４の陳列商品は見えない。メインの四角商品陳列台１０１の陳列商品を見た顧客は、例えば、右側を通り前方へ進む場合、右側の四角商品陳列台１０３の陳列商品は見るものの、反対側である左側の四角商品陳列台１０４の陳列商品は見ることができない。逆に、左側を通り前方へ進み後方の商品陳列台１０２側に進んだ場合、右側の四角商品陳列台１０３の陳列商品は見ることができない。このように、四角商品陳列台で形成される商品陳列台セット（島状商品陳列台）は、顧客の左右方向への視野が制限されるという問題があった。
【０００７】
また、意匠登録番号１２８９７９４号公報に記載の三角商品陳列台の組み合せ体は、１個の三角商品陳列台の多段陳列面における平面視での頂角は９０度であるため、図１５の左右両側の四角商品陳列台１０３、１０４に使用されるものである。この三角商品陳列台は、平面視で角部がアール形状であるため、趣きのある陳列を演出したり、顧客が通り易いなどの効果はあるものの、前記と同様に、顧客の左右方向への視野が制限されるという問題があった。
【０００８】
従って、本発明の目的は、顧客の左右方向への視野が広がる商品陳列台セット及びこれに使用する三角商品陳列台を提供することにある。
【課題を解決するための手段】
【０００９】
すなわち、本発明は上記従来の課題を解決するものであって、水平又は後方登り傾斜の陳列面を有し、該陳列面の平面視における頂角が鋭角であることを特徴とする三角商品陳列台を提供するものである。
【００１０】
また、本発明は、該頂角は、４５±１５度であることを特徴とする前記三角商品陳列台を提供するものである。
【００１１】
また、本発明は、該後方登り傾斜の陳列面は、階段形状であることを特徴とする前記三角商品陳列台を提供するものである。
【００１２】
また、本発明は、前記三角商品陳列台を有することを特徴とする商品陳列台セットを提供するものである。
【００１３】
また、本発明は、左右方向の陳列面長さが同じである陳列面を有する四角商品陳列台を更に有し、該四角商品陳列台と該三角陳列台を横並びで設置し、平面視における左右方向の前方陳列ラインを屈曲させることを特徴とする前記商品陳列台セットを提供するものである。
【００１４】
また、本発明は、該四角商品陳列台の両側に、該三角陳列台をそれぞれ設置し、平面視における陳列面を前方に凸状にしたことを特徴とする前記商品陳列台セットを提供するものである。
【発明の効果】
【００１５】
本発明によれば、顧客の左右方向への視野が広がる商品陳列台セット及びこれに使用する三角商品陳列台を提供することができる。
【図面の簡単な説明】
【００１６】
【図１】本発明の実施の形態における商品陳列台セットの正面側から見た斜視図である。
【図２】本発明の実施の形態における商品陳列台セットの後方側から見た斜視図である。
【図３】図１の商品陳列台セットを構成する三角商品陳列台の斜視図である。
【図４】図１の商品陳列台セットを構成する四角商品陳列台の斜視図である。
【図５】図１の商品陳列台セットの分解斜視図である。
【図６】図１の商品陳列台セットの分解平面図である。
【図７】図１の商品陳列台セットの正面側から見た使用状態図である。
【図８】図１の商品陳列台セットの後方側から見た使用状態図である。
【図９】三角商品陳列台の変形例を示す概略平面図である。
【図１０】三角商品陳列台の他の変形例を示す概略平面図である。
【図１１】図１の商品陳列台セットの平面図であり、顧客の左右方向の視野を示す。
【図１２】本発明の他の実施の形態における商品陳列台セットの正面側から見た斜視図である。
【図１３】図１２の商品陳列台セットを構成する三角商品陳列台の斜視図である。
【図１４】図１２の商品陳列台セットを構成する四角商品陳列台の斜視図である。
【図１５】従来の商品陳列台セットの平面図であり、顧客の左右方向の視野を示す。
【発明を実施するための形態】
【００１７】
本発明の三角商品陳列台において、水平陳列面としては、前方の陳列面高さと後方の陳列面高さが同じ陳列面が挙げられる。水平陳列面は、平坦状の面であっても、凹凸や突起のある陳列面であってもよい。後方登り傾斜の陳列面としては、鋸刃形状、階段形状、ひな壇形状などの多段陳列面や段差のない平坦面である陳列面が挙げられる。また、後方登り傾斜の傾斜面は、陳列面に対して、補助具などを取り付けて多段としたものも含まれる。階段形状、ひな壇形状などの陳列面は、側面視において一段の角は、９０度のものに限定されず、鈍角又は鋭角の角を有するものであってもよく、また、その角を丸み状にしたものであってもよい。また、１つの多段陳列面には、例えば、平面視における形状が異なる陳列面が複数混在していてもよい。
【００１８】
本発明の三角商品陳列台において、後方登り傾斜の陳列面は、例えば、床などの設置面から形成されるもの、あるいは床などの設置面から所定の高さから形成されるもののいずれであってもよい。水平陳列面は、床などの設置面から所定の高さから形成されるものが好ましい。陳列面が床などの設置面から所定の高さから形成されるものとしては、前側板（スカート部）が鉛直に延びる基台上に設置されるもの、あるいは前側板が鉛直に延びる基台と陳列面を有する陳列本体部が一体となったものなどが挙げられる。本発明の三角商品陳列台は、水平又は後方登り傾斜の陳列面を有していればよく、陳列面を支持する基台の支持構造は如何なるものであってもよい。
【００１９】
本発明の三角商品陳列台において、陳列面の平面視における頂角が鋭角である。正面は陳列面が向く方向であり、顧客の位置である。この頂角としては、４５±１５度、好ましくは４５±１０度である。頂角が大きすぎると、顧客の左右方向の視野の広がりが却って制限される点で好ましくなく、逆に、頂角が小さすぎると、顧客の左右方向の視野の広がりの効果が滅殺される点で好ましくない。
【００２０】
本発明の三角商品陳列台において、陳列面の平面視における左右両側端は、直線上を形成しているものが好ましい。これにより、例えば、四角商品陳列台を横並びで設置すれば、左右方向に連続した陳列面を形成できる。なお、陳列面の平面視における左右両側端は、厳密に直線である必要はなく、隣接する商品陳列台と接続する係止部などが両側端から突出するようなものであってもよい。また、陳列面の左右両側端には、起立する透明な仕切り板あるいは背の低い仕切り板が形成されていてもよい。この仕切り板は隣接する商品陳列台の陳列面を区画するものであり、本発明の効果を阻害することはない。
【００２１】
本発明の三角商品陳列台において、陳列面の平面視における頂点は、あってもなくてもよい。本発明の三角商品陳列台の頂角は、左右の両側端で形成される頂角であり、明確な頂点はなくともよい。例えば、図１０に示す三角商品陳列台１０ｃの多段陳列面１１ｃの平面視形状において、頂点１６ｃが切り欠かれたものであっても、左右の両側端１５ｃ、１５ｃで形成される頂角は明確である。
【００２２】
本発明の商品陳列台セットは、前記三角商品陳列台を有するものであり、例えば、左右方向の陳列面長さが同じである陳列面を有する四角商品陳列台を更に有し、該四角商品陳列台と該三角陳列台を横並びで設置し、平面視における陳列面を屈曲させるものが好ましく、特に該四角商品陳列台の両側に、該三角陳列台をそれぞれ設置し、平面視における陳列面を前方に凸状にしたものが好ましい。これにより、顧客の左右方向の視野が広がり、正面に位置するだけで、より多くの陳列商品を見せることができる。
【００２３】
本発明の商品陳列台セットにおいて、四角商品陳列台は、左右方向における陳列面長さが同じである平面視形状が四角形である陳列面を有するものである。また、四角商品陳列台の陳列面は、前記三角商品陳列台を横並びで設置した際、陳列面は左右方向に連続するものであっても、不連続なものであってもよいが、陳列面は左右方向に連続するものが好ましい。すなわち、四角商品陳列台の高さは、三角商品陳列台の高さと同じとすることが好ましい。
【００２４】
次に、本発明の実施の形態における三角商品陳列台および商品陳列台セットを図１〜図８を参照して説明する。三角商品陳列台１０は、図３に示すように、５段の陳列面を有する階段状の多段陳列面１５を有する。最前列の陳列面１５１の左右方向長さは大であり、後方に向けて、漸次小となっている。三角商品陳列台１０は、図６に示すように、多段陳列面の平面視における頂角（α）が、約４５度の鋭角である。これにより、正面に位置する四角商品陳列台２０に対して横並びで設置すれば、正面Ｘにおける左右方向の前方の陳列ラインＹを２２.５度、後方側に屈曲させることができる（図１１参照）。
【００２５】
三角商品陳列台１０の多段陳列面１１は、基台１８上に設置されている。基台１８は、前方の四角形の枠体１３、一端が枠体１３に接続して三角形を形成する上方横桟部材１４、１４、下方横桟部材（不図示）および上方横桟部材１４、１４の他端、下方横桟部材の他端が接続する後方縦部材（不図示）を有し、前方に２つの車輪２３、２３、後方に１つの車輪２３を有している。また、前側板１２が枠体１３に、側板１５が上方横桟部材と下方横桟部材に付設されている。前側板１２は、内部構造を隠す目隠し板であり、適宜メッシュ板、飾り板などであってもよい。基台１８の骨格構造は、平面視において、多段陳列面１１に隠れており、他の商品陳列台との横並び設置において支障がない。また、三角商品陳列台１０の最下の陳列面の前方に起立板１５２が設置されている。これにより、陳列商品が前方より転落することを防止する。
【００２６】
図１、図２及び図５に示すように、商品陳列台セット１０Ａは、４つの三角商品陳列台１０と、６つの四角商品陳列台２０と、パーテーション３０を組み合わせたものである。パーテーション３０は前方の陳列の島と後方の陳列の島を区切るものである。
【００２７】
四角商品陳列台２０の多段陳列面２１は、基台２４上に設置されている。基台２４は、前方の四角形の枠体、右側の四角形の枠体、左側の四角形の枠体及び後方の四角形の枠体がそれぞれ接続され、基台２４の箱枠状の骨格構造を形成したものであり、前方及び左右両側の枠体に、それぞれ側板（スカート）２２及び２５が付設されている。また、前方に２つの車輪２３、２３、後方に２つの車輪２３を有している。側板２２及び２５は、内部構造を隠す目隠し板であり、適宜メッシュ板、飾り板などであってもよい。基台２４の骨格構造は、平面視において、多段陳列面２１に隠れており、他の商品陳列台との横並び設置において支障がない。また、四角商品陳列台２０の最下の陳列面の前方に起立板が設置されている。これにより、陳列商品が前方より転落することを防止する。
【００２８】
パーテーション３０は、前方の陳列の島と後方の陳列の島を区切るものである。本例では、４台の個別パーテーションを組み合わせて使用している。個別パーテーションの左右方向長さは、四角商品陳列台２０の左右方向長さと同じであり、個別パーテーションの高さは、三角商品陳列台１０及び四角商品陳列台２０の高さよりやや大である。これにより、三角商品陳列台１０及び四角商品陳列台２０の最上段の陳列面に陳列された商品が後方に転落することを防止する。個別パーテーションは、実質的に１枚の板状体であってもよく、４つの桟部材で枠体を形成したものに、商品陳列台に組み付けた際、上方に突出する部分を正面の面積とする板状体を貼り付けたものであってもよい。
【００２９】
前方の陳列の島は、２つの三角商品陳列台１０と、４つの四角商品陳列台２０を組み合わせたものである。正面には、２つの四角商品陳列台２０を横並びに設置し、三角商品陳列台１０は、２つの四角商品陳列台２０の両側に配置し、更にその両側には四角商品陳列台２０を配置したものである。これにより、正面の両側の三角商品陳列台１０の陳列面は、正面における左右方向の前方の陳列ラインが２２.５度、後方側に傾くことになる。また、三角商品陳列台１０の両側の四角商品陳列台２０の陳列面は、正面における左右方向の前方の陳列ラインが４５度、後方側に傾くことになる。商品陳列台セット１０Ａの前方の陳列の島において、三角商品陳列台１０の多段陳列面１１と、四角商品陳列台２０の多段陳列面２１は、同じ形状であり、それぞれの段の陳列面は左右方向に連続している。これにより、図７に示すように、陳列商品を整然と陳列できる。
【００３０】
後方の陳列の島は、２つの三角商品陳列台１０と、２つの四角商品陳列台２０を組み合わせたものである。後正面には、２つの四角商品陳列台２０を横並びに設置し、三角商品陳列台１０は、２つの四角商品陳列台２０の両側に配置したものである。これにより、後正面の両側の三角商品陳列台１０の陳列面は、後正面における左右方向の前方の陳列ラインが２２.５度、傾くことになる。商品陳列台セット１０Ａの後方の陳列の島において、三角商品陳列台１０の多段陳列面１１と、四角商品陳列台２０の多段陳列面２１は、同じ形状であり、それぞれの段の陳列面は左右方向に連続している。これにより、図８に示すように、陳列商品を整然と陳列できる。
【００３１】
次に、商品陳列台セット１０Ａの使用方法について図１１を参照して説明する。図１１は、商品陳列台セット１０Ａを上から見た図である。商品陳列台セット１０Ａの前方の島は、店の入口側に設置する。すなわち、店内に入った顧客は、入って直ぐに、商品陳列台セット１０Ａの前の島の正面に来るようになる。商品陳列台セット１０Ａは、２つ横並びの四角商品陳列台２０の両側に、三角商品陳列台１０を設置したため、陳列面における左右方向の前方の陳列ラインが、両側で後方側に屈曲し広がることになる。これにより、Ｘ位置にきた顧客は、２つの四角商品陳列台２０の陳列面２１の陳列商品は、勿論、その両側の三角商品陳列台１０の陳列面１１の陳列商品も見ることができる。また、三角商品陳列台１０の両側の四角商品陳列台２０の陳列面２１の陳列商品も見ることができる。このため、顧客の左右方向の視野が大きく広がり、販売促進に大きく貢献する。一方、顧客が、商品陳列台セット１０Ａの正面から例えば、右側を通りぬけ、後方へ移動した場合、振り返るだけで、後方の島の陳列面を全て見ることができる。また、商品陳列台セット１０Ａは、部品点数がパーテーションを除いて、２点で済み、制作コストを低減できる。
【００３２】
次に、本発明の他の実施の形態における三角商品陳列台及び商品陳列台セットを、図１２〜図１４を参照して説明する。図１２〜図１４の三角商品陳列台１０ａ及び商品陳列台セット１０Ｂにおいて、図１〜図１１の三角商品陳列台１０及び商品陳列台セット１０Ａと同一構成要素には同一符号を付して、その説明を省略し、異なる点について主に説明する。すなわち、図１２〜図１４の三角商品陳列台１０ａ及び商品陳列台セット１０Ｂにおいて、図１〜図１１の三角商品陳列台１０及び商品陳列台セット１０Ａと異なる点は、陳列面の形状である。図１３の三角商品陳列台１０ａの陳列面１１ａは、前方の陳列面高さと後方の陳列面高さが同じの水平状の平坦面である。また、図１４の四角商品陳列台２０ａの陳列面２１ａは、前方の陳列面高さと後方の陳列面高さが同じの水平状の平坦面である。このような三角商品陳列台１０ａ及び商品陳列台セット１０Ｂにおいても、同様の作用効果を奏する。
【００３３】
なお、図１２〜図１４の三角商品陳列台１０ａ及び商品陳列台セット１０Ｂにおいて、陳列面１１ａ及び２１ａは、水平状の平坦面に限定されず、仕切り板用の係止孔や転び止め用の突起などが形成されていてもよい。
【００３４】
本発明の三角商品陳列台１０及び商品陳列台セット１０Ａは、上記実施の形態例に限定されず、種々の変形を採ることができる。例えば、三角商品陳列台１０は、図９及び図１０に示すものであってもよい。すなわち、図９の三角商品陳列台１０ｂのように、多段陳列面の形状が、平面視形状において、前方側にアールの凸状のものであってもよい。また、図１０の三角商品陳列台１０ｃのように、多段陳列面２１ｃの形状が、平面視形状において、頂点２６ｃが切り欠かれたものであってもよく、また、多段陳列面の形状が、平面視形状において、前方側に角張った凸状のものであってもよい。このような、三角商品陳列台１０ｂ、１０ｃであっても、三角商品陳列台１０と同様の効果を奏する。
【産業上の利用可能性】
【００３５】
本発明によれば、顧客の左右方向の視野が広がるため、販売促進に繋がる。また、顧客にとっても、より多くの陳列商品を効率よく、見ることができる。
【符号の説明】
【００３６】
１０、１０ａ      三角商品陳列台
１０Ａ、１０Ｂ  商品陳列台セット
１１、１１ａ    三角商品陳列台の多段陳列面
１２    三角商品陳列台の前側板（スカート）
１８    三角商品陳列台の基台
２０    四角商品陳列台
２１、２１ａ    四角商品陳列台の多段陳列面
２２    四角商品陳列台の前側板（スカート）
２３    車輪
２８    四角商品陳列台の基台
３０    パーテーション   
【図１】
2019130213.tif 000003
【図２】
2019130213.tif 000004
【図３】
2019130213.tif 000005
【図４】
2019130213.tif 000006
【図５】
2019130213.tif 000007
【図６】
2019130213.tif 000008
【図７】
2019130213.tif 000009
【図８】
2019130213.tif 000010
【図９】
2019130213.tif 000011
【図１０】
2019130213.tif 000012
【図１１】
2019130213.tif 000013
【図１２】
2019130213.tif 000014
【図１３】
2019130213.tif 000015
【図１４】
2019130213.tif 000016
【図１５】
2019130213.tif 000017